(57)【要約】【目的】  カレンダーを額縁の正面視界から隠すことができるカレンダー機能付き額縁においてカレンダー機能を備えるスタンドの薄型化が図られる構成を提供する。【構成】  月毎に分離したカード形式のカレンダー１を設け、複数月のカレンダー１を収めるポケット２を設け、ポケット２は額縁３の背面に位置するスタンド４と一体成型で構成し、ポケット２はスタンド４の下部に配置し、ホルダー５はスタンド４の上部に配置し、ホルダー５上にカレンダー１を固定する様にし、スタンド４とホルダー５を固定する第１蝶番６を設け、第１蝶番６の動きに沿ってホルダー５を持ち上げてカレンダー１を機能させる様にする。【選択図】図１
2009011777.tif 000002
【特許請求の範囲】
【請求項１】
月毎に分離したカード形式のカレンダー（１）を設け、複数月のカレンダー（１）を収めるポケット（２）を設け、ポケット（２）は額縁（３）の背面に位置するスタンド（４）と一体成型で構成し、ポケット（２）はスタンド（４）の下部に配置し、ホルダー（５）はスタンド（４）の上部に配置し、ホルダー（５）上にカレンダー（１）を固定する様にし、スタンド（４）とホルダー（５）を固定する第１蝶番（６）を設け、第１蝶番（６）の動きに沿ってホルダー（５）を持ち上げてカレンダー（１）を機能させる様にした額縁のスタンド構造。
【発明の詳細な説明】
【技術分野】
【０００１】  本発明はカレンダー機能付き額縁に関するものである。
【背景技術】
【０００２】  月毎に分離したカード形式のカレンダーを設け、複数月のカレンダーを収めるケースを設け、ケースは額縁の背面に位置するスタンドと一体成型で構成し、ケースにケース蓋を設け、ケースとケース蓋を固定する蝶番を設け、ケース蓋上にカレンダーを固定する様にし、蝶番の動きに沿ってケース蓋を持ち上げてカレンダーとして機能させる様にした額縁がある。
【発明が解決しようとする課題】
【０００３】  従来のカレンダー機能付き額縁はケースがスタンドと一体成型で構成され、ケースにケース蓋を設け、ケースとケース蓋を固定する蝶番を設ける構成になっている。本発明はカレンダー機能を備えるスタンドの薄型化が図られる構成を提供するものである。
【課題を解決するための手段】
【０００４】  月毎に分離したカード形式のカレンダー１を設け、複数月のカレンダー１を収めるポケット２を設け、ポケット２は額縁３の背面に位置するスタンド４と一体成型で構成し、ポケット２はスタンド４の下部に配置し、ホルダー５はスタンド４の上部に配置し、ホルダー５上にカレンダー１を固定する様にし、スタンド４とホルダー５を固定する第１蝶番６を設け、第１蝶番６の動きに沿ってホルダー５を持ち上げてカレンダー１を機能させる様にする。
【発明を実施するための最良の形態】
【０００５】  図１はカレンダー１が機能している状態を表すものである。月毎に分離したカード形式のカレンダー１がスタンド４の下部に配置されるポケット２に収められている。又、当月のカレンダー１がスタンド４の上部に配置されるホルダー５上に固定されている。又、スタンド４とホルダー５を固定する第１蝶番６を設けることで第１蝶番６の動きに沿ってホルダー５を持ち上げてカレンダー１を機能させると共に、第１蝶番６の動きに沿ってホルダー５を畳んで当月のカレンダー１を額縁３の正面視界から隠すことができる。又、ポケット２は額縁３の背面に位置するスタンド４と一体成型で構成するものであり、又、ポケット２には蓋等の部材は付随されない。
従来のものは複数月のカレンダーがケースに収められると共に、当月のカレンダーがケース蓋上に固定されるのに対し、本発明のものは複数月のカレンダー１がポケット２に収められると共に、当月のカレンダー１がホルダー５上に固定されるものである。つまり、ホルダー５を畳む際において従来のものはスタンド４の面上でケース蓋がケースに重なるのに対し、本発明のものは図１に示す様にスタンド４の面上でホルダー５がポケット２に並ぶことでスタンド４の薄型化が図られるため、額縁３の美しい外観が達成できる他、額縁３を壁に掛ける場合においても違和感の無い外観が達成できることになる。なお、図１においてはポケット２に収められる複数月のカレンダー１を斜線で表記している。
【実施例】
【０００６】  又、額縁３を壁に掛けるための構成として額縁３とスタンド４を固定する第２蝶番７を設け、額縁３に第２蝶番７を格納して壁に掛ける様にする。
又、第２蝶番７はスタンド４を介して第１蝶番６と共有するリベット又は、共有する第１ネジ８締めにより固定することで合理的な組み立てを行うことも適切である。なお、第１ネジ８の符号は図２において表記している。
又、カレンダー１を的確に機能させるためにはホルダー５の起立維持の構成が必要であるが、図２においてはスタンド４とホルダー５を固定する第１蝶番６は第１軸受け側の第１平板９及び、第２軸受け側の第２平板１０を構成し、第１平板９と第２軸受けの間に生しる隙間に第１平板９の裏側から挿入されるパッド１１を設け、パッド１１と繋がる板バネ１２を設け、第１平板９及び板バネ１２を第１ネジ８により固定することでパッド１１が第２軸受けを加圧するため、第１蝶番６の動作に適度な抵抗が付加されてホルダー５の起立の位置においても起立の維持が達成できることになる。
又、図１に示す様にポケット２は透明な素材を使用することでポケット２に収められるカレンダー１が外部から見える様にすることが適切である。つまり、例えは当月のカレンダー１を見ながらスケジュールを組む際にスケジュールが次月に越される機会に遭遇するが、この様な場合には一時的に額縁３の背面が正面になる様に向きを変えることでポケット２に収められる次月のカレンダー１を見ることで対処することができる。
又、カレンダー１は月毎に分離したカード形式であることでカードの裏面においても一カ月分を印刷して１枚のカードに二カ月分のカレンダー１を備えることができる。つまり、二カ月分のカレンダー１をホルダー５の透明板１３に固定し、前記のスケジュールが次月に越される機会に遭遇する場合には一時的に額縁３の背面が正面になる様に向きを変えることでホルダー５上に固定されるカレンダー１の裏面に印刷される次月のカレンダー１を見ることで対処することができる。
又、カレンダー１のホルダー５への固定には透明板１３の上下或いは、透明板１３の左右に溝を設けてカレンダー１をスライドさせる手段等があるが、図１に示すものはホルダー５が透明板１３及び押さえ板１４により構成され、透明板１３を介して第２平板１０側から第２ネジ１５締めにより押さえ板１４に固定するものであり、ホルダー５の使用に際しては透明板１３にカレンダー１を立て掛けながら透明板１３と押さえ板１４の間に生じる隙間にカレンダー１を挿入することで額縁３の正面から当月のカレンダー１が見えることになり、又、前記のスケジュールが次月に越される機会に遭遇する場合には一時的に額縁３の背面が正面になる様に向きを変えることで次月のカレンダー１が見えることになる。勿論、裏面に印刷される次月のカレンダー１を額縁３の正面にしてホルダー５上に固定する際は前記のスケジュールが次月に越される機会に遭遇する場合には一時的に額縁３の背面が正面になる様に向きを変えることでポケット２に収められる続く二カ月分のカレンダー１を見ることになる。
以上、カレンダー１は強度がある第２平板１０を伴って押さえ板１４により能率的に固定されることになる。又、図２は透明板１３を介して第２平板１０側から第２ネジ１５締めにより押さえ板１４に固定する際に第１ガイド１６を透明板１３と押さえ板１４の間に挟んで第２ネジ１５を貫通させ、第２ネジ１５締めにより押さえ板１４に固定し、透明板１３の上端に第２ガイド１７を設けるものであり、ホルダー５の使用に際しては透明板１３にカレンダー１を立て掛けながら透明板１３と押さえ板１４の間に生じる隙間にカレンダー１を第１ガイド１６に至る位置まで挿入し、その後においてカレンダー１を少し浮かしてカレンダー１の上端を第２ガイド１７に軽く宛てがう様にする。なお、押さえ板１４及び第１ガイド１６を一体化させた形状で押さえ板１４を造作することも適切である。
【発明の効果】
【０００７】  スタンド４の面上にホルダー５及びポケット２を横並びに配置することでスタンド４の薄型化が図られる。これにより額縁３の端整な外観が達成できる他、額縁３を壁に掛ける場合においてもカレンダー１を機能させるか否かに拘わらず違和感の無い外観が達成できる。
【図面の簡単な説明】
【図１】  本発明の側面図
【図２】  ホルダー５周辺を示す側面図
【符号の説明】
１  カレンダー              ２  ポケット              ３  額縁
４  スタンド                ５  ホルダー              ６  第１蝶番
７  第２蝶番                ８  第１ネジ              ９  第１平板
１０  第２平板              １１  パッド              １２  板バネ
１３  透明板                １４  押さえ板            １５  第２ネジ
１６  第１ガイド            １７  第２ガイド
【図１】
2009011777.tif 000003
【図２】
2009011777.tif 000004